(57)【要約】【課題】  構造が簡単で着脱に手間がかからずしかも軒樋にしっかり固定できるようにする。【解決手段】  軒樋１に取付けて軒樋１を切断する際のガイドとなる軒樋切断治具であって、軒樋１の外側面に締付嵌合状態で固定可能な切断治具本体２を備えると共に、切断後に軒樋１から切断治具本体２を容易に取外可能とする本体取外補助部３を備えるようにしている。【選択図】        図１
2005248620.tif 000002
【特許請求の範囲】
【請求項１】
軒樋に取付けて軒樋を切断する際のガイドとなる軒樋切断治具において、
軒樋の外側面に締付嵌合状態で固定可能な切断治具本体を備えると共に、
切断後に軒樋から切断治具本体を容易に取外可能とする本体取外補助部を備えたことを
特徴とする軒樋切断治具。
【請求項２】
軒樋が、ほぼＵ字断面の軒樋本体と、該軒樋本体の両側壁の先端縁部に沿って形成され
た耳部とを備え、
切断治具本体が、軒樋本体の外側面形状と締付嵌合状態に合致する内側面形状を有する
ほぼＵ字状の締付固定部と、軒樋の耳部に係止可能な軒樋係止部とを備え、
本体取外補助部が、軒樋係止部を部分的に変形して係止解除可能な切込部を有すること
を特徴とする請求項１記載の軒樋切断治具。
【請求項３】
ほぼＵ字断面の軒樋本体が、高さの異なる両側壁を有しており、
切断治具本体がほぼＵ字状の締付固定部の両腕部の高さをほぼ同一レベルに揃えるレベ
ル調整用延長部を備えたことを特徴とする請求項１または２記載の軒樋切断治具。
【発明の詳細な説明】
【技術分野】
【０００１】
この発明は、軒樋切断治具に関するものである。
【背景技術】
【０００２】
屋根の軒先には軒樋が使用されている。この軒樋は、ほぼＵ字断面の軒樋本体と、この
軒樋本体のＵ字状の両側壁の先端縁部に沿って形成された耳部とを備えている。このよう
な軒樋は、施工現場で所要の長さに切断されて軒先に取付けられる。
【０００３】
ここで、軒樋間の連結に外側継手を使用する場合には、外側継手によって切断線が隠さ
れるため切断精度は余り必要にならない。しかし、内側継手を使用する場合には、切断線
は外部に露出されるので高い切断精度（切断線の直線性など）が必要となる。
【０００４】
そこで、内側継手を使用する場合などに、施工現場で軒樋を高精度に切断するために軒
樋切断治具が使用される。従来の軒樋切断治具には、軒樋の外側面に取付けて切断の際に
ガイドとなるようにしたものがある（例えば、特許文献１参照）。
【０００５】
この文献に記載された軒樋切断治具では、軒樋の外側面に遊嵌状態で嵌着可能な切断治
具本体と、この切断治具本体に形成されたフランジ状の切断ガイド面と、この切断治具本
体を軒樋に固定するためのストッパ機構とを備えている。このストッパ機構は、楔の原理
を応用したものである。
【０００６】
そして、上記軒樋切断治具で軒樋を切断するには、先ず、軒樋の外側面に切断治具本体
を遊嵌し、ストッパ機構を用いて軒樋に切断治具本体を固定する。そして、切断ガイド面
に沿ってノコギリで軒樋を切断する。切断後には、ストッパ機構を外して軒樋から切断治
具本体を取外すようにする。
【特許文献１】公技番号２００２−５０１０００
【発明の開示】
【発明が解決しようとする課題】
【０００７】
軒樋を高精度で切断するためには、軒樋をガタ付きのないようにしっかり固定しておく
必要があり、上記特許文献１に記載された軒樋切断治具では、軒樋に対する切断治具本体
の固定にストッパ機構を設けていたが、このストッパ機構は、意図的に操作しなければな
らないので手間がかかって煩わしく、しかも、特に、解除の際などに、きつく食い込んで
なかなか取外せない状態になるなどして作業効率低下の原因となっていた。
【課題を解決するための手段】
【０００８】
上記課題を解決するために、請求項１に記載された発明では、軒樋に取付けて軒樋を切
断する際のガイドとなる軒樋切断治具において、軒樋の外側面に締付嵌合状態で固定可能
な切断治具本体を備えると共に、切断後に軒樋から切断治具本体を容易に取外可能とする
本体取外補助部を備えた軒樋切断治具を特徴としている。
【０００９】
請求項２に記載された発明では、軒樋が、ほぼＵ字断面の軒樋本体と、該軒樋本体の両
側壁の先端縁部に沿って形成された耳部とを備え、切断治具本体が、軒樋本体の外側面形
状と締付嵌合状態に合致する内側面形状を有するほぼＵ字状の締付固定部と、軒樋の耳部
に係止可能な軒樋係止部とを備え、本体取外補助部が、軒樋係止部を部分に変形して係止
解除可能な切込部を有する請求項１記載の軒樋切断治具を特徴としている。
【００１０】
請求項３に記載された発明では、ほぼＵ字断面の軒樋本体が、高さの異なる両側壁を有
しており、切断治具本体がほぼＵ字状の締付固定部の両腕部の高さをほぼ同一レベルに揃
えるレベル調整用延長部を備えた請求項１または２記載の軒樋切断治具を特徴としている
。
【発明の効果】
【００１１】
請求項１の発明によれば、軒樋切断治具は、軒樋に取付けて軒樋を切断する際のガイド
として使用される。この際、切断に際し切断治具本体を軒樋の外側面に締付嵌合状態で固
定し得るものとすることにより、切断治具本体を軒樋に簡単に固定してしかもズレたり動
いたりしないようにすることができる。よって、切断中に切断治具本体がズレたりして切
断精度が低下することが防止される。また、切断後には本体取外補助部を利用することに
よって軒樋から切断治具本体を容易に取外すことができる。以上により、現場での軒樋の
施工をより効率的に行わせることができる。
【００１２】
請求項２の発明によれば、切断治具本体のほぼＵ字状の締付固定部の内側面をほぼＵ字
断面の軒樋本体の外側面に締付嵌合し、軒樋の耳部に軒樋係止部を係止させることによっ
て、切断治具本体を軒樋に確実に固定することができる。そして、切込部を有する本体取
外補助部を利用して軒樋係止部を部分的に変形させ係止解除することによって、軒樋に対
して切断治具本体を簡単に取外すことができる。
【００１３】
請求項３の発明によれば、ほぼＵ字断面の軒樋本体が、高さの異なる両側壁を有してい
る場合でも、切断治具本体のほぼＵ字状の締付固定部に設けたレベル調整用延長部によっ
て締付固定部の両腕部の高さがほぼ同一レベルに揃えられるので、軒樋本体を逆さまにし
て切断する際に、軒樋本体を安定して置くことができて切断作業が容易となると共に、切
断線の直線性を容易に確認し確保することができる。
【発明を実施するための最良の形態】
【００１４】
構造が簡単で着脱に手間がかからずしかも軒樋にしっかり固定できるようにするという
目的を、切断に際し軒樋の外側面に締付嵌合状態で固定可能な切断治具本体を備えると共
に、切断後に軒樋から切断治具本体を容易に取外可能とする本体取外補助部を備える、と
いう手段で実現した。
【実施例】
【００１５】
以下、本発明を具体化した実施例について、図示例と共に説明する。
【００１６】
図１〜図８は、この発明の実施例を示すものである。
【００１７】
屋根の軒先には軒樋が使用されている。このような軒樋は、施工現場で所要の長さに切
断されて軒先に取付けられる。ここで、軒樋間の連結に外側継手を使用する場合には、外
側継手によって切断線が隠されるので切断精度は余り必要にならないが、内側継手を使用
する場合には、切断線は外部に露出するので高い切断精度（切断線の直線性など）が必要
となる。そこで、内側継手を使用する場合などに、施工現場で軒樋を高精度に切断するた
めに、軒樋切断治具が使用される。
【００１８】
この実施例の軒樋切断治具は、軒樋に取付けて軒樋を切断する際のガイドとなるタイプ
のものであり、その構成について図を用いて説明すると、図１、図２に示すように、切断
に際して軒樋１の外側面に締付嵌合状態で固定可能な切断治具本体２を備えると共に、切
断後に軒樋１から切断治具本体２を容易に取外可能とする本体取外補助部３を備えている
。
【００１９】
より具体的には、図３に示すように、軒樋１は、角型や丸型など各種存在しているが、
いずれもほぼＵ字断面の軒樋本体６と、この軒樋本体６の両側壁７の先端縁部に沿って形
成された耳部８とを備えている。 軒樋本体６は、角型の場合には、底壁９と明確に区別
し得る両側壁７を備えている。なお、丸型の場合には、底壁９と両側壁７とを明確に区別
するのは困難である。この実施例では、軒樋本体６は角型となっている。また、軒樋１に
は、樹脂製のものやアルミなどの金属製のものなどが存在する。耳部８は、軒樋本体６に
フランジ状に形成されるが、中空、中実にしても良い。この実施例では、中空の耳部８を
有する樹脂製の軒樋１となっている。
【００２０】
そして、切断治具本体２は、図２、図３に示すように、軒樋本体６の外側面形状と締付
嵌合状態に合致する内側面形状を有するほぼＵ字状の締付固定部１１と、軒樋１の耳部８
に係止可能な軒樋係止部１２とを備えている。締付固定部１１は、底部１３と両腕部１４
とを備えている。軒樋係止部１２は、耳部８を包持する包持部１５と、耳部８に係止する
爪部１６とを備えている。そして、切断治具本体２は側面に切断ガイド面１７を備えてい
る。この切断ガイド面１７は軒樋１に対して垂直に立設されたフランジ状を呈している。
なお、この実施例では、切断ガイド面１７は切断治具本体２の両側面に形成されているが
、少なくとも一側面にあれば良い。
【００２１】
加えて、図２〜図６に示すように、本体取外補助部３として、軒樋係止部１２を部分的
に変形して係止解除可能な切込部１８を有している。この切込部１８は、軒樋係止部１２
の爪部１６と包持部１５との幅中央部分が変形し易くなるように、切断治具本体２の各腕
部１４の両側面近傍に各切断ガイド面１７に沿って２本ずつ形成されている。なお、この
実施例では、本体取外補助部３は、切断治具本体２の両腕部１４に形成されているが、少
なくとも片方の腕部１４にあれば良い。
【００２２】
更に、図３に示すように、ほぼＵ字断面の軒樋本体６が、高さの異なる両側壁７を有し
ている場合に、図７、図８に示すように、切断治具本体２に、ほぼＵ字状の締付固定部１
１の両腕部１４の高さの違いをほぼ同一レベルに揃えるレベル調整用延長部２１を備える
ようにする。即ち、レベル調整用延長部２１は、例えば、低い方の腕部１４ａの側に設け
るようにする。この実施例では、レベル調整用延長部２１は、低い方の腕部１４ａの側の
軒樋係止部１２の頂部に設けられている。なお、レベル調整用延長部２１は、実質的に高
さをほぼ同一レベルに揃えられれば良いので、腕部１４の両方にそれぞれ所要の高さで設
けることもできる。
【００２３】
次に、この実施例の作用について説明する。
【００２４】
軒樋切断治具は、軒樋１に取付けて軒樋１を切断する際のガイドとして使用される。
【００２５】
そして、上記軒樋切断治具で軒樋１を切断するには、先ず、軒樋１の外側面に切断治具
本体２を締付嵌合状態で固定する。この固定は、ほぼＵ字状の締付固定部１１の両腕部１
４を手で開いて弾性変形させ、切断治具本体２を軒樋１の外側面に嵌着し、しかる後に、
変形力を解除して変形前の状態に復帰させると共に、軒樋１の耳部８に軒樋係止部１２を
係止させることにより行う。そして、切断ガイド面１７に沿ってノコギリで軒樋１を切断
する。切断は、軒樋本体６を上下逆さまにして、底壁９から先に行う。切断後は、本体取
外補助部３を利用して軒樋１の耳部８に対する軒樋係止部１２の係止状態を解除すること
により、軒樋１から切断治具本体２を取外すようにする。
【００２６】
この実施例によれば、切断に際し切断治具本体２を軒樋１の外側面に締付嵌合状態で固
定し得るものとすることにより、嵌着しただけで切断治具本体２を軒樋１に簡単に固定し
て、しかもズレたり動いたりしないようにすることができる。よって、切断中に切断治具
本体２がズレたりして切断精度が低下することが防止される。また、切断後には本体取外
補助部３を利用することによって軒樋１から切断治具本体２を容易に取外すことができる
。しかも、軒樋切断治具は、構造が簡単なので、取扱が容易である。以上により、現場で
の軒樋１の施工をより効率的に行わせることができる。
【００２７】
特に、切断治具本体２のほぼＵ字状の締付固定部１１の内側面をほぼＵ字断面の軒樋本
体６の外側面に締付嵌合し、軒樋１の耳部８に軒樋係止部１２を係止させることによって
、切断治具本体２を軒樋１に確実に固定することができる。そして、切込部１８を有する
本体取外補助部３を利用して軒樋係止部１２を部分的に変形させ係止解除することによっ
て、軒樋１に対して切断治具本体２を簡単に取外すことができる。
【００２８】
更に、ほぼＵ字断面の軒樋本体６が、高さの異なる両側壁７を有している場合でも、切
断治具本体２のほぼＵ字状の締付固定部１１に設けたレベル調整用延長部２１によって締
付固定部１１の両腕部１４の高さがほぼ同一レベルに揃えられるので、軒樋本体６を逆さ
まにして切断する際に、図７、図８に示すように、底壁９がほぼ水平となるように軒樋本
体６を安定して置くことができ、図９のようにレベル調整用延長部２１がなく底壁９がほ
ぼ水平に対し傾いている場合と比べて切断作業が容易となると共に、切断線の直線性を容
易に確認し確保することができる。
【００２９】
以上、この発明の実施例を図面により詳述してきたが、実施例はこの発明の例示にしか
過ぎないものであるため、この発明は実施例の構成にのみ限定されるものではなく、この
発明の要旨を逸脱しない範囲の設計の変更等があってもこの発明に含まれることは勿論で
ある。
【図面の簡単な説明】
【００３０】
【図１】本発明の実施例の軒樋切断治具を軒樋に取付けた状態の全体斜視図である。
【図２】軒樋切断治具の斜視図である。
【図３】図２の断面図である。
【図４】図２の平面図である。
【図５】図２の左側面図である。
【図６】図２の右側面図である。
【図７】軒樋切断治具を上下逆さまにした切断姿勢を示す断面図である。
【図８】図７と同様の状態における斜視図である。
【図９】比較例としてレベル調整用延長部がない軒樋切断治具の図７と同様の断面図である。
【符号の説明】
【００３１】
１    軒樋
２    切断治具本体
３    本体取外補助部
６    軒樋本体
７    側壁
８    耳部
１１  締付固定部
１２  軒樋係止部
１４  腕部
１８  切込部
２１  レベル調整用延長部
【図１】
2005248620.tif 000003
【図２】
2005248620.tif 000004
【図３】
2005248620.tif 000005
【図４】
2005248620.tif 000006
【図５】
2005248620.tif 000007
【図６】
2005248620.tif 000008
【図７】
2005248620.tif 000009
【図８】
2005248620.tif 000010
【図９】
2005248620.tif 000011